(57)【特許請求の範囲】
【請求項１】
有線回線を通じて接続され各々個別の識別番号を有する複数の無線基地局と、
前記複数の無線基地局の中から所望の無線基地局を選択してその識別番号および試験電波の送出を指示する制御コマンドを含む送信信号を無線送信し、前記選択した無線基地局から送出される前記試験電波を測定する測定装置とを備え、
前記送信信号を受信した前記無線基地局は、前記識別番号が自局であれば前記送信信号を受信したことを表す応答コマンドと前記試験電波とを前記測定装置に無線送信する構成を有することを特徴とする受信電界測定システム。
【請求項２】
有線回線を通じて接続され各々個別の識別番号を有する複数の無線基地局と、
前記複数の無線基地局の中から所望の無線基地局を選択してその識別番号および試験電波の送出を指示する制御コマンドを含む送信信号を無線送信し、前記選択した無線基地局から送出される前記試験電波を測定する測定装置とを備え、
前記送信信号を受信した前記無線基地局は、前記識別番号が自局でなければ前記送信信号を前記有線回線を通じて転送し、前記選択した無線基地局から前記送信信号を受信したことを表す応答コマンドを前記有線回線を通じて受信すると、前記測定装置に前記応答コマンドを無線送信する構成を有することを特徴とする受信電界測定システム。
【請求項３】
有線回線を通じて接続され各々個別の識別番号を有する複数の無線基地局と、
前記複数の無線基地局の中から所望の無線基地局を選択してその識別番号および試験電波の送出を指示する制御コマンドを含む送信信号を無線送信し、前記選択した無線基地局から送出される前記試験電波を測定する測定装置とを備え、
前記送信信号を受信できなかった前記選択した無線基地局は、前記送信信号を受信した無線基地局から前記有線回線を通じて前記送信信号を受信すると、前記送信信号を受信した無線基地局に前記有線回線を通じて前記送信信号を受信したことを表す応答コマンドを返送すると共に、前記試験電波を前記測定装置に無線送信する構成を有することを特徴とする受信電界測定システム。
【請求項４】
請求項２または３に記載の受信電界測定システムにおいて、前記送信信号を受信した前記無線基地局は、前記送信信号に自局の識別番号を受信元基地局番号として付加して前記有線回線を通じて転送し、自局の識別番号が前記受信元基地局番号として付加された前記応答コマンドを前記有線回線を通じて受信すると、前記測定装置に前記応答コマンドを無線送信する構成を有することを特徴とする受信電界測定システム。
【発明の詳細な説明】
【０００１】
【発明の属する技術分野】
本発明は、複数の無線基地局から送信される電波を測定する受信電界測定システムに関し、とくに列車無線システムのように駅や沿線に設置した複数の無線基地局からの電波を測定する受信電界測定システムに関するものである。
【０００２】
【従来の技術】
従来、列車無線システムのように駅や沿線に設置した複数の無線基地局と走行中の列車との間で無線通信を行う場合、各無線基地局から送出される送信波による電波干渉によって、あるいは山岳地帯など地形の険しい場所において、電波の不感地帯が発生することがあった。
【０００３】
このため、従来は無線基地局の設置時に、また一定期間毎に、それぞれ受信電界測定試験を行うことで、無線基地局からの電波が沿線を走行する列車において均等に受信できるように、各無線基地局の設置場所や送信出力を調整するようにしていた。
【０００４】
【発明が解決しようとする課題】
ところで、従来の受信電界測定試験は、沿線を移動する測定装置と複数の無線基地局との間で無線交信を行いながら、各無線基地局から試験電波を送出し、その試験電波の受信電界を測定装置で測定するようにしていた。
【０００５】
このため、測定装置と無線基地局とに作業員を配置し、作業員間で無線交信を行いながら測定装置および無線基地局を手動操作することで測定作業を行っていた。このように、従来は測定装置のみならず各無線基地局にも作業員を配置しなければならないため、無人駅が多い路線や山岳地帯の路線などでは作業効率が悪いという課題があった。
【０００６】
本発明は、このような従来の課題を解決するためになされたもので、無線基地局に作業員を配置することなしに、各無線基地局から送出される試験電波を測定することができる受信電界測定システムを提供するものである。
【０００７】
【課題を解決するための手段】
本発明の受信電界測定システムは、有線回線を通じて接続され各々個別の識別番号を有する複数の無線基地局と、複数の無線基地局の中から所望の無線基地局を選択してその識別番号および試験電波の送出を指示する制御コマンドを含む送信信号を無線送信し、選択した無線基地局から送出される試験電波を測定する測定装置とを備え、送信信号を受信した無線基地局は、識別番号が自局であれば送信信号を受信したことを表す応答コマンドと試験電波とを測定装置に無線送信する構成を有している。
【０００８】
この構成により、測定装置は任意の無線基地局を選択すると、その無線基地局宛に試験電波を送出する指示を含んだ送信信号を出力する。この送信信号を受信した無線基地局は自局が選択した無線基地局であれば、送信信号を受信したことを表す応答コマンドと試験電波とを測定装置に無線送信することとなる。
【０００９】
本発明の受信電界測定システムは、有線回線を通じて接続され各々個別の識別番号を有する複数の無線基地局と、複数の無線基地局の中から所望の無線基地局を選択してその識別番号および試験電波の送出を指示する制御コマンドを含む送信信号を無線送信し、選択した無線基地局から送出される試験電波を測定する測定装置とを備え、送信信号を受信した無線基地局は、識別番号が自局でなければ送信信号を有線回線を通じて転送し、選択した無線基地局から送信信号を受信したことを表す応答コマンドを有線回線を通じて受信すると、測定装置に応答コマンドを無線送信する構成を有している。
【００１０】
この構成により、測定装置は任意の無線基地局を選択すると、その無線基地局宛に試験電波を送出する指示を含んだ送信信号を出力する。この送信信号を受信した無線基地局は自局が選択した無線基地局でなければ、有線回線を通じて選択した無線基地局に送信信号を転送し、送信信号を受信したことを表す応答コマンドが自局宛に転送されてきたら、この応答コマンドを測定装置に無線送信することとなる。
【００１１】
本発明の受信電界測定システムは、有線回線を通じて接続され各々個別の識別番号を有する複数の無線基地局と、複数の無線基地局の中から所望の無線基地局を選択してその識別番号および試験電波の送出を指示する制御コマンドを含む送信信号を無線送信し、選択した無線基地局から送出される試験電波を測定する測定装置とを備え、送信信号を受信できなかった選択した無線基地局は、送信信号を受信した無線基地局から有線回線を通じて送信信号を受信すると、送信信号を受信した無線基地局に有線回線を通じて送信信号を受信したことを表す応答コマンドを返送すると共に、試験電波を測定装置に無線送信する構成を有する。
【００１２】
この構成により、測定装置は任意の無線基地局を選択すると、その無線基地局宛に試験電波を送出する指示を含んだ送信信号を出力する。選択した無線基地局が送信信号を受信できなかった場合は、有線回線を通じて送信信号を受信した無線基地局から送信信号を受信すると試験電波を無線送信し、さらに送信信号を受信したことを表す応答コマンドを有線回線を通じて送信信号を受信した無線基地局に送信することとなる。
【００１３】
本発明の受信電界測定システムは、自局宛でない送信信号を受信した無線基地局が、送信信号に自局の識別番号を受信元基地局番号として付加して有線回線を通じて転送し、自局の識別番号が受信元基地局番号として付加された応答コマンドを有線回線を通じて受信すると、測定装置に応答コマンドを無線送信する構成を有している。
【００１４】
この構成により、送信信号を受信した無線基地局が選択した無線基地局でない場合に、この無線基地局は送信信号に自局の識別番号を受信元基地局番号として付加して有線回線を通じて転送し、自局の識別番号が受信元基地局番号として付加された応答コマンドが転送されて来たら、この応答コマンドを測定装置に無線送信することとなる。
【００１５】
【発明の実施の形態】
以下、本発明の実施の形態について、図面を用いて説明する。
【００１６】
図１は、本発明による受信電界測定システムの一実施の形態を示す構成図で、列車無線システムを例に示している。同図において、複数の無線基地局１ａ、１ｂ、１ｃ、…、１ｎ−１、１ｎは駅や沿線の所定箇所に設置されており、有線回線２を通じて互いに直列に接続されている。そして、終端の無線基地局１ｎは中央装置３に接続され、中央装置３は通話装置４を収容している。
【００１７】
無線基地局１ａ〜１ｎはそれぞれ無線送受信装置と制御装置とを備えており、沿線を移動する測定装置５との間で無線送受信を行うと共に有線回線２を通じて他の無線基地局および中央装置３との間で送受信を行う。また、無線基地局１ａ〜１ｎは無線基地局１ａから無線基地局１ｎに向って上位となるように個別に識別番号が付されている。
【００１８】
また、測定装置５は無線送受信装置、受信電界測定装置、操作装置および制御装置を備えている。測定装置５は沿線を移動しながら作業員が操作装置で任意の無線基地局を選択すると、選択した無線基地局に対して試験電波の送出を指令する制御コマンドを無線送信する。また、測定装置５は選択した無線基地局からの電波を受信して、受信電界測定装置で受信電界を測定する。
【００１９】
次に、図２に示すシーケンス図を参照しながら本実施の形態による受信電界測定システムの動作について説明する。
【００２０】
まず、測定装置５において、作業員が受信電界の測定を希望する無線基地局を選択する（ステップＳ１）。この例では無線基地局１ｃを選択する。測定装置５の制御装置はこの指示を受けて無線送信装置から無線基地局１ｃ宛の送信信号を無線送信する（ステップＳ２）。
【００２１】
この送信信号は、図３のフォーマット図に示すように、送信信号の同期を獲得する同期信号Ｆ１、データを識別するコントロールコードＦ２、測定装置５で選択した無線基地局（この例では無線基地局１ｃ）の識別番号を書き込む送信先基地局番号Ｆ３、無線基地局間を有線回線２で中継するときに使用する中継情報Ｆ４、コマンドの内容を示す処理内容Ｆ５から形成されている。このため、中継情報Ｆ４は測定装置５からの無線送信時には使用しない。
【００２２】
この中継情報Ｆ４は中継先の無線基地局の識別番号である中継先基地局番号Ｆ４１と、測定装置５からの送信信号を受信した無線基地局の識別番号である受信元基地局番号Ｆ４２とからなる。中継先基地局番号Ｆ４１は自局から下位局へ中継する場合は自局の識別番号から「１」を引いた番号となり、自局から上位局へ中継する場合は自局の識別番号に「１」を加えた番号となる。
【００２３】
測定装置５から無線基地局１ｃを指定する送信信号が無線送信されると、その電波を例えば近傍の無線基地局１ａが受信する。無線基地局１ａは受信した送信信号の処理内容Ｆ５が制御コマンドであるので、送信先基地局番号Ｆ３と自局の識別番号とを比較する（ステップＳ３）。
【００２４】
比較の結果、両識別番号が一致しないので、無線基地局１ａは、図４の説明図に示すように、中継先基地局番号Ｆ４１に自局の識別番号に「＋１」した識別番号を書き込み、受信元基地局番号Ｆ４２に自局の識別番号を書き込み、有線回線２を通じて上位の無線基地局１ｂに転送する（ステップＳ４）。
【００２５】
無線基地局１ｂは有線回線２を通じて無線基地局１ａから送られて来た送信信号の中継先基地局番号Ｆ４１が自局の識別番号であるので、この送信信号を受信する。そして、処理内容Ｆ５が制御コマンドであるので、送信先基地局番号Ｆ３と自局の識別番号とを比較する（ステップＳ５）。
【００２６】
比較の結果、両識別番号が一致しないので、無線基地局１ｂは、図５の説明図に示すように、中継先基地局番号Ｆ４１に自局の識別番号に「＋１」した識別番号を書き込み、有線回線２を通じて上位の無線基地局１ｃに転送する（ステップＳ６）。
【００２７】
無線基地局１ｃは有線回線２を通じて無線基地局１ｂから送られて来た送信信号の中継先基地局番号Ｆ４１が自局の識別番号であるので、この送信信号を受信する。そして、処理内容Ｆ５が制御コマンドであるので、送信先基地局番号Ｆ３と自局の識別番号とを比較する（ステップＳ７）。
【００２８】
比較の結果、両識別番号が一致するので、無線基地局１ｃは自局宛の送信信号と判断し、処理内容Ｆ５の内容に応じた処理の準備を行う。すなわち、処理内容Ｆ５の内容は試験電波の送出を指示する制御コマンドであるので、無線基地局１ｃはその準備をする。
【００２９】
また、無線基地局１ｃは同時に自局宛の送信信号を受信したことを示す応答コマンドを処理内容Ｆ５に書き込み、中継先基地局番号Ｆ４１に自局の識別番号に「−１」した識別番号を書き込み、有線回線２を通じて下位の無線基地局１ｂに転送する。このとき送信先基地局番号Ｆ３および受信元基地局番号Ｆ４２の内容は不変である（ステップＳ８）。
【００３０】
無線基地局１ｂは有線回線２を通じて無線基地局１ｃから送られて来た送信信号の中継先基地局番号Ｆ４１が自局の識別番号であるので、この送信信号を受信する。そして、処理内容Ｆ５が応答コマンドであるので、受信元識別番号Ｆ４２と自局の識別番号とを比較する（ステップＳ９）。
【００３１】
比較の結果、両識別番号が一致しないので、無線基地局１ｂは、図６の説明図に示すように、中継先基地局番号Ｆ４１に自局の識別番号に「−１」した識別番号を書き込み、有線回線２を通じて下位の無線基地局１ｂに転送する（ステップＳ１０）。
【００３２】
無線基地局１ａは有線回線２を通じて無線基地局１ｂから送られて来た送信信号の中継先基地局番号Ｆ４１が自局の識別番号であるので、この送信信号を受信する。そして、処理内容Ｆ５が応答コマンドであるので、受信元識別番号Ｆ４２と自局の識別番号とを比較する（ステップＳ１１）。
【００３３】
比較の結果、両識別番号が一致するので、無線基地局１ａは自局宛の送信信号と判断し、処理内容Ｆ５の内容に応じた処理の準備を行う。すなわち、処理内容Ｆ５の内容は応答コマンドであるので、図７の説明図に示すように、無線基地局１ａは応答コマンドを無線送信する（ステップＳ１２）。
【００３４】
測定装置５は応答コマンドを受信すると、無線基地局１ｃからの応答であることを表示する（ステップＳ１３）。これによって測定装置５の作業員は選択した無線基地局１ｃに制御コマンドが到達し、試験電波の送出準備中であることを確認することができる。
【００３５】
次いで、無線基地局１ｃは制御コマンドに応じて試験電波を送出する（ステップＳ１４）。測定装置５はこの試験電波を受信して受信電界を測定する（ステップＳ１５）。なお、測定装置５は仮に試験電波を受信できなくても、ステップＳ１３で無線基地局１ｃの応答を確認することができる。
【００３６】
以上のように、本実施の形態によると、測定装置は選択した任意の無線基地局宛に試験電波を送出する指示を含んだ送信信号を無線送信し、選択した無線基地局はこの送信信号を受信すると自動的に試験電波を無線送信するので、無線基地局に作業員を配置することなしに各無線基地局から送信される試験電波の受信電界を測定することができる。
【００３７】
また、測定装置は電波が直接届かない範囲の無線基地局でも、電波が直接届く範囲の他の無線基地局を通じて制御することができ、加えて選択した無線基地局から出力される応答コマンドを、この他の無線基地局を通じて受信することができるので、選択した無線基地局からの試験電波を直接受信できなくても、選択した無線基地局の動作を確認することができる。なお、各無線基地局は自局の入出力電圧と送信電力を測定し、その測定結果を応答コマンド転送と同様の方法にて送信する機能も有している。
【００３８】
次に、前述した受信電界測定システムの測定結果に基づいて無線基地局の設置場所や送信出力を調整した列車無線システムの動作を、図８および図９に示す構成図およびシーケンス図を用いて説明する。
【００３９】
図８は、列車無線システムの構成図で、前述した複数の無線基地局１ａ〜１ｎが有線回線２を通じて直列に接続され、終端の無線基地局１ｎには通話装置４を収容した中央装置３が接続されている。無線基地局１ａ〜１ｎは沿線を移動する列車に搭載された車上無線機６との間で無線送受信を行うと共に、有線回線２を通じて他の無線基地局および中央装置３との間で送受信を行うように構成されている。
【００４０】
次に、中央装置３から走行中の列車の車上無線機６を呼び出す場合の動作について、図９に示すシーケンス図を参照しながら説明する。
【００４１】
中央の担当者が通話装置４から走行中の列車の呼び出すと、中央装置３は一斉送信起動をかける（ステップＴ１）。この指令は有線回線２を通じて全ての無線基地局１ａ〜１ｎに、通話装置４からの音声信号と共に伝送される（ステップＴ２）。この指令を受けた無線基地局１ａ〜１ｎは同一周波数で一斉に音声信号を無線送信する（ステップＴ３）。
【００４２】
車上無線機６は近傍の無線基地局、例えば無線基地局１ａから電波を受信すると、受信した音声信号を出力する（ステップＴ４）。列車の乗務員等がこれに応答すると、車上無線機６から送信起動がかかり（ステップＴ５）、送信信号が無線送信される（ステップＴ６）。
【００４３】
この電波を、例えば無線基地局１ａが受信すると、無線基地局１ａは受信フラグを立てるなどの受信処理を行う（ステップＴ７）。次いで、無線基地局１ａは受信信号を有線回線２を通じて中央装置３に転送する（ステップＴ８）。受信信号が中央装置３に到達すると、中央装置３は通話装置４から受信した音声信号を出力する（ステップＴ９）。
【００４４】
中央の担当者が通話装置４によって応答すると、中央装置３は特定送信起動をかける（ステップＴ１０）。この特定送信起動は受信フラグが立っている特定の無線基地局、この例では無線基地局１ａからのみ送信信号を無線送信する指示である。
【００４５】
この指示は有線回線２を通じて全ての無線基地局１ａ〜１ｎに、通話装置４からの音声信号と共に伝送される（ステップＴ１１）。無線基地局１ａは中央装置３からの送信信号を受信すると無線送信する（ステップＴ１２）。この送信信号は車上無線機６で受信され、音声信号が出力される（ステップＴ１３）。こうして通話装置４と車上無線機６との間に通話路が形成されることとなる。
【００４６】
なお、前述の実施の形態では、本発明の受信電界測定システムを、列車無線システムに適用した場合について説明したが、本発明はこれに限らず複数の無線基地局が有線回線を通じて接続された無線システムであれば、これに適用できることは勿論である。
【００４７】
【発明の効果】
以上説明したように、本発明は測定装置から選択した無線基地局宛に試験電波の送出を指示する送信信号を無線送信すると、選択した無線基地局がこの送信信号を受信して自動的に試験電波を無線送信するように構成したので、無線基地局に作業員を配置することなしに無線基地局から送信される試験電波の受信電界を測定することができる受信電界測定システムを提供できるものである。
【図面の簡単な説明】
【図１】本発明による受信電界測定システムの一実施の形態を示す構成図
【図２】本発明による受信電界測定システムの動作を示すシーケンス図
【図３】送信信号のフォーマット図
【図４】中継先基地局番号および受信元基地局番号の設定方法を示す説明図
【図５】下位局から上位局へ中継する際の中継先基地局番号の更新方法を示す説明図
【図６】上位局から下位局へ中継する際の中継先基地局番号の更新方法を示す説明図
【図７】応答コマンドが自局の場合の説明図
【図８】本発明が適用された列車無線システムを示す構成図
【図９】中央装置から車上無線機を呼び出す場合の動作を示すシーケンス図
【符号の説明】
１ａ、１ｂ、…、１ｎ  無線基地局
２  有線回線
３  中央装置
４  通話装置
５  測定装置
６  車上無線機
【図１】
0004217373.tif 000002
【図２】
0004217373.tif 000003
【図３】
0004217373.tif 000004
【図４】
0004217373.tif 000005
【図５】
0004217373.tif 000006
【図６】
0004217373.tif 000007
【図７】
0004217373.tif 000008
【図８】
0004217373.tif 000009
【図９】
0004217373.tif 000010